(57)【特許請求の範囲】
【請求項１】
モニタ画面を備えた住戸インターホンとロビーインターホンとを備え、ネットワークに接続された集合住宅用インターホンシステムにおいて、
ネットワークを通じて受信した生活情報を蓄積して住戸インターホンに配信する生活情報配信部を備え、
住戸インターホンは、
生活情報のポップアップ表示を許可または禁止モードに設定するモード操作部を備えており、前記モード操作部で許可モードが設定されているときには、生活情報を受信する毎に、該生活情報をモニタ画面にポップアップ表示する一方、禁止モードが設定されているときには、生活情報のポップアップ表示を禁止し、
前記モード操作部で禁止モードが設定されている間に受信した生活情報を、許可モードに変更設定されたときに自動的にポップアップ表示することを特徴としたネットワーク対応型の集合住宅用インターホンシステム。
【請求項２】
請求項１に記載の集合住宅用インターホンシステムにおいて、
住戸インターホンとロビーインターホンとの呼出、通話を制御する一方、住戸インターホンを特定のサーバ装置に接続させる制御装置を更に備え、
前記生活情報配信部は、前記サーバ装置側に設けられていることを特徴としたネットワーク対応型の集合住宅用インターホンシステム。
【請求項３】
請求項１又は２に記載の集合住宅用インターホンシステムにおいて、
生活情報の記事は、画像ファイルとして構成されていることを特徴としたネットワーク対応型の集合住宅用インターホンシステム。
【請求項４】
請求項１〜３のいずれかに記載の集合住宅用インターホンシステムにおいて、
住戸インターホンは、新たな生活情報が配信されたことを報知する新着情報通知灯を更に備えていることを特徴としたネットワーク対応型の集合住宅用インターホンシステム。
【発明の詳細な説明】
【技術分野】
【０００１】
本発明は、ネットワークを通じて投稿されてきた生活情報を住戸インターホンに表示させる機能を有した集合住宅用インターホンに関する。
【背景技術】
【０００２】
従来、マンションなどの集合住宅では、居住者に迅速、確実に連絡事項を通知することが求められるが、そのような場合に効果的な技術として、特許文献１には、電子回覧板情報を映像として、映像蓄積手段に蓄積させ、更にその映像信号を、各住戸のインターホンに対して送信させることを教示している。
【先行技術文献】
【特許文献】
【０００３】
【特許文献１】特許3657847号公報
【発明の概要】
【発明が解決しようとする課題】
【０００４】
しかしながら、特許文献１の構成では、電子回覧板などの到着をまずＬＥＤなどによって報知する仕組みであるため、場合によっては住戸人がＬＥＤによる報知に気づかないこともある。その対策として、電子回覧板を自動的にポップアップ表示することが考えられる。しかしながら住戸インターホンは、パソコンなどと違って常時電源がオン状態なので、夜中などにもポップアップがなされることになり、住戸人に煩わしさを感じさせる虞が生じてくる。
【０００５】
そこで本発明は、住戸人による事前の設定に従って、生活情報のポップアップ表示を制御するようにした集合住宅用インターホンシステムを提供することを目的とする。
【課題を解決するための手段】
【０００６】
本発明による集合住宅用インターホンシステムは、モニタ画面を備えた住戸インターホンとロビーインターホンとを備え、ネットワークに接続された集合住宅用インターホンシステムにおいて、ネットワークを通じて受信した生活情報を蓄積して住戸インターホンに配信する生活情報配信部を備え、住戸インターホンは、生活情報のポップアップ表示を許可または禁止モードに設定するモード操作部を備えており、前記モード操作部で許可モードが設定されているときには、生活情報を受信する毎に、該生活情報をモニタ画面にポップアップ表示する一方、禁止モードが設定されているときには、生活情報のポップアップ表示を禁止し、前記モード操作部で禁止モードが設定されている間に受信した生活情報を、許可モードに変更設定されたときに自動的にポップアップ表示することを特徴とする。なお生活情報は、例えば住戸人を対象とした掲示板や住棟内あるいはその近隣にある商店からの連絡、通知事項など、日常生活に関連した特に緊急ではない情報のことである。
【０００８】
集合住宅用インターホンシステムは、住戸インターホンとロビーインターホンとの呼出、通話を制御する一方、住戸インターホンを特定のサーバ装置に接続させる制御装置を更に備え、前記生活情報配信部は、前記サーバ装置側に設けられてもよい。
【０００９】
生活情報の記事は、画像ファイルとして構成されてもよい。
【００１０】
また住戸インターホンは、新たな生活情報が配信されたことを報知する新着情報通知灯を更に備えていてもよい。
【発明の効果】
【００１１】
本発明による集合住宅用インターホンシステムでは、生活情報のポップアップ表示を、住戸人による事前の設定によって許可または禁止するようにしている。そのため住戸人に好都合な生活時間帯のときにポップアップ表示させれば、その表示を見逃す虞がなく、情報が確実に伝達できる。また住戸人は就寝時などに突然生活情報がポップアップ表示されるため煩わしく感じるなどの不都合も防止でき、無駄な表示によって電力使用が増大することもない。
【図面の簡単な説明】
【００１２】
【図１】本発明を適用したインターホンシステムのブロック図である。
【図２】生活情報一覧表の表示例の説明図である。
【図３】生活情報の個別表示例の説明図である。
【図４】表示モードの設定画面の例を示す図である。
【図５】生活情報の作成画面の例を示す図である。
【図６】本発明に係る基本動作を示したフロー図である。
【発明を実施するための形態】
【００１３】
本発明のインターホンシステム１は、図１に示すように、モニタ画面１１ｂを備えた複数の住戸インターホン１１とロビーインターホン１２とからなり、ネットワーク２０に接続された基本構成を有する。ネットワーク２０は、インターネットに代表される広域ネットワークを想定しているが、住棟及びその近隣施設のみに敷設されたＬＡＮであっても構わない。
【００１４】
ここに住戸インターホン１１は、住宅情報盤として構成されており、ドアホン子器１１ａやセキュリティセンサ（図示なし）などが接続されている。そして基本的な構成要素として、図２に示しているように、タッチパネルで構成されたモニタ画面１１ｂ、メッセージランプ１１ｃ、通話キー１１ｄ、通話部を形成するスピーカ１１ｅ、マイク１１ｆなどを備えている。
【００１５】
ロビーインターホン１２は、呼出先の部屋番号を指定するための操作部や、通話部を構成するスピーカ、マイク（いずれも図示なし）などを備えている。なお、ロビーインターホン１２は、カードキーなどによって住戸人を認証するための認証端末としての機能を備えてもよい。その場合、図示しない認証装置による認証が成功すれば、ロビー扉の電気錠が自動的に解錠する。
【００１６】
管理人室機１３（警報監視盤）は、選択した住戸インターホン１１あるいはロビーインターホン１２との通話ができ、また住戸インターホン１１から発信された異常発生信号を受け付けて所定の対応処理をなす装置である。そして基本的な構成要素として、モニタ画面、通話部を構成するハンドセット、異常報知手段を構成する警報ランプ、スピーカ（いずれも図示なし）などを備えている。
【００１７】
制御装置１４は、住戸インターホン１１と、ロビーインターホン１２あるいは管理人室機１３との信号伝送を制御する装置であって、住戸インターホン１１、ロビーインターホン１２、管理人室機１３は、この装置に接続されている。更に制御装置１４は、住戸インターホン１１を、ネットワーク２０上の特定のサーバ装置２１に接続するゲートウェイ１４ａとしても機能する。
【００１８】
通信端末２２は、ネットワーク２０に接続可能なパソコンなどであって、管理人室や近隣の店舗などに設置される。そしてソフトウェアなどによって構成された生活情報作成部２２ａを備えており、操作によって所望の生活情報を作成してサーバ装置２１に投稿できる。
【００１９】
次いで、インターホンシステム１の基本動作を説明する。住戸インターホン１１と制御装置１４はインターホン回線によって接続されており、そこでは送信先、送信元のアドレスを指定した信号伝送が行われる。プロトコルは特に制限はないが、例えばＴＣＰ／ＩＰを用いてもよい。この場合、住戸インターホン１１のそれぞれには、固有のグローバルＩＰあるいはローカルＩＰが割り当てられる。また、制御装置１４とロビーインターホン１２あるいは管理人室機１３との信号伝送も同様である。なおインターホン回線の信号線には、一般的なツイストペアケーブルを用いればよいが、専用ケーブルを用いてもよい。
【００２０】
インターホンシステム１における呼出、通信制御の基本機能、動作は従来システムと同様である。すなわちロビーインターホン１２で住戸番号を指定した呼出操作がなされると、制御装置１４によって、指定された住戸の住戸インターホン１１が呼び出される。呼び出された住戸インターホン１１で通話キー１１ｄが操作されると、制御装置１４は、ロビーインターホン１２とその住戸インターホン１１との間に排他的な通話チャンネルを構成して、訪問者と住戸人との通話を許可する。その後、通話キー１１ｄが再操作されたとき、あるいは所定時間が経過したときに、その通話チャンネルは開放される。なお、ロビーインターホン１２は複数であってもよく、その場合でも、通話チャンネルは排他的に制御される。
【００２１】
更にインターホンシステム１がテレビ式であれば、ロビーインターホン１２で呼出操作がなされてから通話チャンネルが解放されるまでの間、ロビーインターホン１２側に設けられたビデオカメラ１２ａと、呼出先の住戸インターホン１１との間に排他的な映像チャンネルを構成する。このようにすれば、訪問者の映像を住戸インターホン１１でモニタしながら対応できる。
【００２２】
また、インターホンシステム１は、集合住宅の警報監視システムとしても機能しており、その動作も従来と同様である。すなわち、住戸インターホン１１は、セキュリティセンサが異常発生を検知すると、モニタ画面１１ｂに警報画面を表示すると共に、スピーカ１１ｅから警報メッセージを出力する。また、住戸インターホン１１は、異常発生を管理人室機１３に通知する。管理人室機１３は、その通知を受信すると、警報を出力する。その後、管理人の操作に応じて、異常発生を通知してきた住戸インターホン１１や、その近隣の住戸インターホン１１から、避難メッセージなどを出力させることもできる。また、防災センターなどに異常発生を移報することもできる。
【００２３】
本発明の特徴的な構成として、インターホンシステム１は、いわゆる生活情報、例えば居住者を対象とした掲示板や住棟内あるいはその近隣にある商店などからの連絡、通知事項を住戸インターホン１１から通知することができるようになっている。
【００２４】
具体的には、住戸インターホン１１は、モード操作部１１ｈによって、生活情報のポップアップによる表示を許可または禁止モードにする操作を受け付ける。そして表示制御部１１ｉは、許可モードが設定されているときには、生活情報を受信する毎に、その生活情報の記事Ａをモニタ画面１１ｂに少なくとも所定時間はポップアップ表示する一方、禁止モードが設定されているときには、生活情報のポップアップ表示を禁止する。生活情報のポップアップ表示は、例えば図３のようにしてもよい。
【００２５】
また別構成では、許可モードが設定されているときには、生活情報を受信する毎に、その生活情報の記事Ａではなく、その生活情報を含めた生活情報一覧表Ｌをポップアップ表示してもよい。生活情報一覧表Ｌは、複数の生活情報について、そのタイトルや投稿者名称などを例えば表形式に配列したものなどで、例えば図２のようにしてもよい。なお、生活情報一覧表Ｌは、文字列によるリスト形式に限定されず、アイコンによるグラフィカルな一覧表示であってもよい。
【００２６】
生活情報一覧表Ｌをポップアップ表示する構成では、モード操作部１１ｈによってモード設定操作を受け付け、許可モードが設定されているときには、生活情報を受信する毎に、更新された生活情報一覧表Ｌをモニタ画面１１ｂに表示して、選択操作された生活情報の記事Ａを個別表示する。一方、禁止モードが設定されているときには、生活情報一覧表Ｌの表示を禁止する。
【００２７】
このようにすれば、生活情報の記事Ａ、あるいは生活情報一覧表Ｌを、住戸人による事前の設定に従ってポップアップ表示させたり、ポップアップ表示を禁止したりできるので、情報がより確実に伝達できる。また住戸人は就寝時などに生活情報などが突然ポップアップ表示されるため煩わしく感じるなどの不都合も防止でき、無駄な表示によって電力使用が増大することもない。
【００２８】
生活情報一覧表Ｌの表示を行う構成では、インターホンシステム１は、図１に示しているように、ネットワーク２０を通じて受信した生活情報を蓄積して住戸インターホン１１に配信する生活情報配信部２１ａと、複数の生活情報から所定の生活情報一覧表Ｌを生成する一覧表生成部１１ｇとを備える。また住戸インターホン１１は、生活情報一覧表Ｌの表示を許可または禁止モードにする操作を受け付けるモード操作部１１ｈと、モード操作部１１ｈで設定されたモードを実行して、生活情報一覧表Ｌの表示、生活情報の個別表示を制御する表示制御部１１ｉとを備える。
【００２９】
つまり図１の構成では、サーバ装置２１には、生活情報配信部２１ａを設け、住戸インターホン１１には、生活情報の一覧表生成部１１ｇと、モード操作部１１ｈと、表示制御部１１ｉとを設けている。そして、以下に説明する基本動作の前提として、住戸インターホン１１では、住戸人の操作によって、生活情報一覧表Ｌの表示モードとして許可モードまたは禁止モードが予め設定されている。
【００３０】
基本動作では、サーバ装置２１は、通信端末２２から生活情報が投稿されてくると蓄積して、その属性情報を住戸インターホン１１に配信する。住戸インターホン１１は、それまでに配信されてきた属性情報自体、あるいはそれらの属性情報から生成した生活情報一覧表Ｌを保持しており、新たな属性情報が配信されてくると、それまで保持していた属性情報と、配信されてきた属性情報とから生活情報一覧表Ｌを作成し直す。あるいは配信されてきた属性情報を、保持していた生活情報一覧表Ｌに追記して更新する。このようにして新たな生活情報を含んだ生活情報一覧表Ｌが得られる。これと共に、生活情報一覧表Ｌの表示モードを判別して、許可モードであれば、生活情報を受信する毎に、更新された生活情報一覧表Ｌをモニタ画面１１ｂに表示し、そこで選択操作された生活情報の記事Ａを個別表示する。一方、判別の結果、禁止モードであれば、生活情報一覧表Ｌの表示を禁止する。
【００３１】
住戸インターホン１１は、禁止モードの間に受信配信された生活情報の記事Ａ、あるいはその生活情報を含んだ生活情報一覧表Ｌを、許可モードに設定変更されたときに、自動的に表示する（以後、おいかけ表示という）ようにしてもよい。このようにすれば、禁止モード中に重要な生活情報が配信されてきたとしても、それに気づかずに見逃してしまうことがなくなる。
【００３２】
また住戸インターホン１１には、新たな生活情報が配信されたことを報知する新着情報通知灯を更に備えていてもよく、その新着情報通知灯として、図２におけるメッセージランプ１１ｃを利用してもよい。このようにすれば、生活情報一覧表Ｌが禁止モードによって表示されないときでも、メッセージランプ１１ｃによって、新たな新着情報が配信されたことが判るので便利である。
【００３３】
また別構成として、生活情報配信部２１ａと一覧表生成部１１ｇとを、サーバ装置２１に設けた構成としてもよい。この場合、サーバ装置２１は、通信端末２２から生活情報が投稿されてくると蓄積すると共に、その生活情報を含めた生活情報一覧表Ｌを生成して住戸インターホン１１に配信する。住戸インターホン１１は、その生活情報一覧表Ｌを受信すると表示モードを判別して、許可モードであればモニタ画面１１ｂに表示する。このようにすれば、一覧表生成部１１ｇが複数の住戸インターホン１１によって共用されることになるので、コストが抑えられる。
【００３４】
更に、制御装置１４とサーバ装置２１とを一体として構成してもよいが、このような変形は、いずれも本発明の範囲に含まれる。
【００３５】
次いで本発明システムにおける住戸インターホン１１の基本的な動作、機能について、更に詳細に説明する。
【００３６】
図２は、生活情報一覧表Ｌを表示した住戸インターホン１１の正面図である。上記のように、住戸インターホン１１は、モニタ画面１１ｂ、メッセージランプ１１ｃ、通話キー１１ｄや、スピーカ１１ｅ、マイク１１ｆなどを備えており、モニタ画面１１ｂには、生活情報一覧表Ｌが表示されている。
【００３７】
ここに新着情報キーは、所望時に操作によって生活情報一覧表Ｌを呼び出すためのキー、掲示板キーは生活情報の中から掲示板カテゴリのものを抽出して一覧表示させるためのキー、地域キーは生活情報の中から地域カテゴリのものを抽出して一覧表示させるためのキーである。また再生キーはロビーインターホン１２に対する来客対応の際に録画した映像、録音した音声を再生させるためのキー、設定キーは各種設定する設定画面を呼び出すためのキーである。
【００３８】
生活情報一覧表Ｌは、複数の生活情報が、それぞれの属性情報に基づいてソートされ、リスト表示されたもので、画面上部には生活情報全体の受信件数が表示され、その下に、１件毎に、その着信日時、種別、表題が配列されている。更にその下にある詳細キーは、生活情報の記事Ａを個別表示させるためのキーで、リスト表示から所望の生活情報を選択操作してから詳細キーを操作すれば、生活情報の記事Ａが個別に切替え表示される。削除キーは、生活情報を生活情報一覧表Ｌから削除するためのキーで、リスト表示から所望の生活情報を選択してから削除キーを操作すれば、選択した生活情報が生活情報一覧表Ｌから削除される。また閉じるキーは生活情報一覧表Ｌを閉じるためのキーである。
【００３９】
図３は生活情報一覧表Ｌから詳細キーの操作によって切替え表示された生活情報の個別表示例である。この例では、記事Ａとして「２０１１．１．３１（月）は資源ゴミの収集日です。１１：００に収集します。  管理人」というメッセージと、ゴミ箱を表した図案が表示されている。生活情報として所望のメッセージや図案を表示させるには、種々の方法があるが、例えば記事Ａの全体を１つの画像ファイルに予め変換しておくとよい。画像の大きさは、モニタ画面１１ｂの表示枠の画素数に合わせたサイズとすることで、拡大縮小が不要になり、表示の仕組みも簡単になる。なお記事Ａは、画像及び文字からなるホームページとして構成してもよい。その場合は、住戸インターホン１１に内蔵されたブラウザによって記事Ａを表示すればよい。
【００４０】
図４は、生活情報一覧表Ｌの表示モードを設定する設定画面の例で、このような画面は、住戸インターホン１１の設定キーの操作によって呼び出すことができる。画面には、生活情報一覧表Ｌのポップアップ表示を許可または禁止するためのラジオキーと、おいかけ表示をする、しないを選択するためのラジオキーが配置されている。更にこの画面には、画面を閉じるためのキャンセルキーと、ここでの設定を登録するための設定キーも配置されている。ここで生活情報一覧表Ｌの表示モードを選択し、更に設定キーを操作すれば、以後、その設定が反映される。
【００４１】
図５は、生活情報の作成画面の例であり、通信端末２２ではこのような画面を表示して生活情報を作成する。作成画面には、タイトル、投稿者名称、有効期限、重要度の入力欄と、記事作成欄とが設けられている。タイトル、投稿者名称入力欄には所望の文字列が入力できる。有効期限、重要度の入力欄はプルダウン式になっており、複数の選択肢からいずれかを選択するようになっている。このタイトル、投稿者名称、有効期限、重要度などが属性情報として生活情報に付加される。
【００４２】
属性情報は、上記の項目に限られず、それ以外に任意の項目を含めてもよいが、項目名、項目数、フォーマットなどは、基本的に全ての生活情報の属性情報で共通となる。属性情報として、生活情報毎に固有の識別情報（ＩＤ）を付加してもよい。固有な識別情報は、属性情報の他の部分と、記事Ａとから算出したハッシュ値を用いれば、他の生活情報のものと重複する可能性が格段に低くなる。この識別情報は、住戸インターホン１１がサーバ装置２１に生活情報の記事Ａを要求する際に利用できる。
【００４３】
記事作成欄は、自由に選択したフォントで文字列を配置し、更にイラストなども加えられるようになっているが、記事作成用のツールボックスなどは図からは省略している。なお、記事作成欄に併設して、所望の画像ファイルを記事Ａとして入力するためのファイル名入力欄が設けられ、記事作成とファイル入力のいずれかを選択するためのラジオスイッチも配置されている。ファイル入力の場合は、指定されたファイルがそのまま記事Ａになる。また画面の下部には、この画面を閉じるためのキャンセルキーと、生活情報を投稿するための投稿キーとが設けられている。記事作成欄によって記事Ａを作成した場合は、投稿キーを操作すると、記事Ａの全体が１つの画像ファイルに変換され、変換後の生活情報がサーバ装置２１に送信される。
【００４４】
図６は本発明インターホンシステム１の基本動作を示したフロー図である。
【００４５】
この図によれば、時刻Ｔ１では、通信端末２２で生活情報が作成され、それに属性情報が付加されて、サーバ装置２１に送信されている。時刻Ｔ２では、その生活情報がサーバ装置２１に蓄積され、通知信号としてその属性情報が制御装置１４を介して住戸インターホン１１に配信されている。
【００４６】
そして時刻Ｔ３では、住戸インターホン１１は、配信されてきた属性情報から生活情報一覧表Ｌを生成し、時刻Ｔ４では表示モードを判別して、許可モードであればモニタ画面１１ｂに表示して、個別表示すべき生活情報の選択を受け付けている。時刻Ｔ５では、要求信号として、選択操作された生活情報の記事Ａをサーバ装置２１に要求し、時刻Ｔ６では返信されてきた生活情報の記事Ａを個別表示している。
【００４７】
一方、時刻Ｔ４で判別した表示モードが禁止モードであれば、表示モードが設定変更されるまで待機して設定変更されると、表示モードを再び判別し、許可モードに設定変更された時点で、生活情報一覧表Ｌをおいかけ表示する。
【符号の説明】
【００４８】
１        インターホンシステム
１１      住戸インターホン
１１ｂ    モニタ画面
１１ｃ    メッセージランプ（新着情報通知灯）
１１ｈ    モード操作部
１２      ロビーインターホン
１４      制御装置
２０      ネットワーク
２１      サーバ装置
２１ａ    生活情報配信部
Ａ        生活情報の記事
Ｌ        生活情報一覧表
【図１】
0005587803.tif 000002
【図２】
0005587803.tif 000003
【図３】
0005587803.tif 000004
【図４】
0005587803.tif 000005
【図５】
0005587803.tif 000006
【図６】
0005587803.tif 000007